(57)【要約】【課題】処理速度や画像品質の低下を招くことなく、記録媒体を高速で整然と排出してストック性を高めることができるインクジェット記録装置を提供すること。【解決手段】用紙（記録媒体）Ｐを保持して搬送する搬送ベルト２と、該搬送ベルト２によって搬送される用紙Ｐにインクを吐出して印刷を行うインクジェットヘッド３と、印刷された用紙Ｐを前記搬送ベルト２から受け入れてストック装置３０へと排出する排出装置１０と、該排出装置１０から排出される用紙Ｐをストックする前記ストック装置３０を備えたインクジェット記録装置１において、前記排出装置１０に用紙Ｐの左右両端部を上方へ折り曲げる左右一対のＶ字ガイド板１８を設けるとともに、前記ストック装置３０に用紙の左右両端部を支持するガイドレール３５と該ガイドレール３５にその左右両端部が支持された用紙Ｐに向けて上方から風を吹き付ける送風装置３４を設ける。【選択図】図１
2011001142.tif 000002
【特許請求の範囲】
【請求項１】
記録媒体を保持して搬送する搬送ベルトと、該搬送ベルトによって搬送される記録媒体にインクを吐出して印刷を行うインクジェットヘッドと、印刷された記録媒体を前記搬送ベルトから受け入れてストック装置へと排出する排出装置と、該排出装置から排出される記録媒体をストックする前記ストック装置を備えたインクジェット記録装置において、
前記排出装置に前記記録媒体の左右両端部を上方へ折り曲げる左右一対のガイド板を設けるとともに、前記ストック装置に前記用紙の左右両端部を支持するガイドレールと該ガイドレールにその左右両端部が支持された記録媒体に向けて上方から風を吹き付ける送風装置を設けたことを特徴とするインクジェット記録装置。
【請求項２】
前記ストック装置に前記記録媒体の先端を受け止めて該記録媒体を停止させるストッパを設けたことを特徴とする請求項１記載のインクジェット記録装置。
【請求項３】
前記ストック装置へと排出される記録媒体が前記ストッパに当接して停止したタイミングで前記送風装置から風を記録媒体に向けて吹き付けることを特徴とする請求項１記載のインクジェット記録装置。
【発明の詳細な説明】
【技術分野】
【０００１】
本発明は、用紙等の記録媒体を搬送しながらインクジェットヘッドからインクを記録媒体に吐出して印刷を行うインクジェット記録装置に関するものである。
【背景技術】
【０００２】
インクジェット記録装置は、インクジェットヘッドに設けられたノズルからインクの微細な粒子を用紙等の記録媒体に噴射して文字や図形をドッドパターンで印刷するものである。このインクジェット記録装置は、記録媒体を保持して搬送する搬送ベルトと、該搬送ベルトによって搬送される記録媒体にインクを吐出して印刷を行うインクジェットヘッドと、印刷された記録媒体を前記搬送ベルトから受け入れてストック装置へと排出する排出装置と、該排出装置から排出される記録媒体をストックする前記ストック装置を備えている。
【０００３】
ここで、斯かるインクジェット記録装置の要部側面を図６に示すが、図示のインクジェット記録装置１０１は、記録媒体である用紙Ｐを搬送するための無端状の搬送ベルト１０２を備えており、この搬送ベルト１０２は、駆動ローラ１０４と従動ローラ１０５及びテンシュンローラ１０６に巻き掛けられており、駆動ローラ１０４によって図６の矢印方向（反時計方向）に回転駆動されて用紙Ｐを矢印Ｔ方向に搬送する。尚、図示しないが、搬送ベルト１０２の上方にはインクジェットヘッドが配置されている。
【０００４】
又、上記搬送ベルト１０２の裏面側であって、インクジェットヘッドに対向する位置には吸着ユニット１０７が配置されている。この吸着ユニット１０７は、不図示の吸着ファンを備えた吸着装置であって、搬送ベルト１０２上を搬送される用紙Ｐを吸着して搬送ベルト１０２に確実に保持することによって該用紙Ｐの位置ずれを防ぐ機能を果たす。尚、図示しないが、搬送ベルト１０２の用紙搬送方向下流側（図６の左側）には排出装置とストック装置が配設されている。
【０００５】
以上の構成を有するインクジェット記録装置１０１において、不図示の用紙供給装置によって図６の右方向から左方向（図６の矢印Ｔ方向）に向かって供給される用紙Ｐは、吸着ユニット１０７のエア吸引動作によって搬送ベルト１０２上に密着保持されつつ、駆動ローラ１０４によって図６の矢印方向（反時計方向）に回転駆動される搬送ベルト１０２によって所定の速度で下流側（図６の左側）へと搬送される。そして、このように用紙Ｐが搬送ベルト１０２によって下流側へと搬送される過程において、該用紙Ｐ上には不図示のインクジェットヘッドよってインクが画像データに応じて吐出されて文字や図形がドッドパターンで印刷される。
【０００６】
上述のプロセスを経て文字や図形等の画像が印刷された用紙Ｐは、排出ガイド１１５に案内されて不図示の排出装置へと送り込まれ、該排出装置によって不図示のストック装置へと排出されてストックされる。
【０００７】
ところで、印刷が終了した用紙Ｐは、その表裏面の水分の差に起因して図６に示すようにカールを生じ易く、このようにカールが発生した用紙Ｐをそのまま搬送すると排出装置においてジャムが発生したり、ストック装置への排紙安定性（ストック性）が悪くなるという問題が発生する。
【０００８】
そこで、特許文献１には、画像形成部による用紙への画像形成が終了したとき、カール抑制待機が必要なときには、排紙モータの駆動を停止して用紙を排紙搬送部の下ガイド板上で静止させ、搬送ローラとこれに対向するコロによって用紙を拘束し、カールが発生しにくくなる状態で用紙を停止待機させた後に排紙動作を行う提案がなされている。
【先行技術文献】
【特許文献】
【０００９】
【特許文献１】特開２００６−０８２５４６号公報
【発明の概要】
【発明が解決しようとする課題】
【００１０】
しかしながら、特許文献１において提案された方法では、画像形成が終了した用紙を搬送ローラとコロによって拘束した状態で、該用紙にカールが発生しにくくなるまで排紙動作を行わないで待機するために処理速度が遅くなる他、搬送ローラ又はコロが用紙の印字面に触れるためにオフセットが発生し、画像品質が低下するという問題が発生する。
【００１１】
本発明は上記問題に鑑みてなされたもので、その目的とする処は、処理速度や画像品質の低下を招くことなく、記録媒体を高速で整然と排出してストック性を高めることができるインクジェット記録装置を提供することにある。
【課題を解決するための手段】
【００１２】
上記目的を達成するため、請求項１記載の発明は、記録媒体を保持して搬送する搬送ベルトと、該搬送ベルトによって搬送される記録媒体にインクを吐出して印刷を行うインクジェットヘッドと、印刷された記録媒体を前記搬送ベルトから受け入れてストック装置へと排出する排出装置と、該排出装置から排出される記録媒体をストックする前記ストック装置を備えたインクジェット記録装置において、前記排出装置に前記記録媒体の左右両端部を上方へ折り曲げる左右一対のガイド板を設けるとともに、前記ストック装置に前記用紙の左右両端部を支持するガイドレールと該ガイドレールにその左右両端部が支持された記録媒体に向けて上方から風を吹き付ける送風装置を設けたことを特徴とする。
【００１３】
請求項２記載の発明は、請求項１記載の発明において、前記ストック装置に前記記録媒体の先端を受け止めて該記録媒体を停止させるストッパを設けたことを特徴とする。
【００１４】
請求項３記載の発明は、請求項２記載の発明において、前記ストック装置へと排出される記録媒体が前記ストッパに当接して停止したタイミングで前記送風装置から風を記録媒体に向けて吹き付けることを特徴とする。
【発明の効果】
【００１５】
請求項１記載の発明によれば、印刷が終了した記録媒体はその左右両端部が排出装置に設けられたガイド板によって上方へ折り曲げられた状態、つまり、本来撓もうとする方向とは反対向きに強制的に撓まされた状態で搬送されるため、該記録媒体はカールの発生が抑制された状態で連続的に高速で搬送され、処理速度の低下やジャムの発生を招くことなく記録媒体をストック装置へと排出することができる。そして、ストック装置へと排出された記録媒体は、その左右両端部がガイドレールによって支持されることによって撓みが取り除かれて略平面状態を保ち、送風装置から吹き付けられる風によってガイドレールから外れて落下し、ストック装置に整然とストックされるため、該記録媒体のストック性が高められる。
【００１６】
請求項２記載の発明によれば、排出装置からストック装置へと高速で排出される記録媒体は、その先端がストッパに当接して停止するため、先端が揃えられた状態でストック装置に整然とストックされる。
【００１７】
請求項３記載の発明によれば、ストック装置へと排出される記録媒体がストッパに当接して停止するまでの間は送風装置から記録媒体への風の吹き付けはなされないため、風が記録媒体のストック装置への排出動作を阻害することがなく、記録媒体の排出動作がスムーズになされる。
【図面の簡単な説明】
【００１８】
【図１】本発明に係るインクジェット記録装置の基本構成を示す側面図である。
【図２】本発明に係るインクジェット記録装置の排出装置とストック装置の斜視図である。
【図３】本発明に係るインクジェット記録装置の排出装置の斜視図である。
【図４】本発明に係るインクジェット記録装置の排出装置の斜視図である。
【図５】本発明に係るインクジェット記録装置の排出装置によって排出される用紙を搬送方向下流側から見た図である。
【図６】従来のインクジェット記録装置とこれによって排出される用紙のカール状態を示す側面図である。
【発明を実施するための形態】
【００１９】
以下に本発明の実施の形態を添付図面に基づいて説明する。
【００２０】
図１は本発明に係るインクジェット記録装置の基本構成を示す側面図、図２は同インクジェット記録装置の排出装置とストック装置の斜視図、図３及び図４は排出装置の斜視図、図５は排出装置によって排出される用紙を搬送方向下流側から見た図である。
【００２１】
図１に示すインクジェット記録装置１は、カラープリンタであって、記録媒体である用紙Ｐを搬送するための無端状の搬送ベルト２を備えており、この搬送ベルト２の上方にはインクジェットヘッド３が配置されている。ここで、インクジェットヘッド３は、用紙Ｐの搬送方向（図１の左方向）に沿って並設されたブラック（ＢＫ）、シアン（Ｃ）、マゼンタ（Ｍ）、イエロー（Ｙ）のヘッド３ａ，３ｂ，３ｃ，３ｄを備えている。このインクジェットヘッド３は、所謂ラインタイプのものであって、用紙Ｐの搬送方向に垂直な幅と同等の印字可能領域を有している。
【００２２】
又、前記搬送ベルト２は、駆動ローラ４と従動ローラ５及びテンシュンローラ６に巻き掛けられており、駆動ローラ４によって図１の矢印方向（反時計方向）に回転駆動されて用紙Ｐを矢印Ｔ方向に搬送する。そして、この搬送ベルト２の裏面側であって、インクジェットヘッド３に対向する位置には吸着ユニット７が配置されている。この吸着ユニット７は、不図示の吸着ポンプを備えた吸着装置であって、搬送ベルト２上を搬送される用紙Ｐを吸着して搬送ベルト２に確実に保持することによって該用紙Ｐの位置ずれを防ぐ機能を果たす。
【００２３】
ところで、搬送ベルト２の用紙搬送方向下流側（図１の左側）には排出装置１０とストック装置３０が配設されている。
【００２４】
上記排出装置１０は、搬送ベルト２によって搬送されてくる印刷済みの用紙Ｐを搬送ベルト２と同じ速度で同方向（矢印Ｑ方向）に搬送し、その下流側に配された前記ストック装置３０に用紙Ｐを送り込むものであって、以下のように構成されている。
【００２５】
即ち、排出装置１０は、無端状の排出ベルト１１を備えており、この排出ベルト１１は駆動ローラ１２と従動ローラ１３及びテンションローラ１４に巻き掛けられている。そして、搬送ベルト２から排出ベルト１１への用紙Ｐの受け渡し部には、下流側に向かって下方に傾斜した排出ガイド１５が設けられており、搬送ベルト２によって搬送されてくる用紙Ｐは排出ガイド１５によって案内されつつ排出ベルト１１へと受け渡される。
【００２６】
ここで、上記排出ベルト１１は、図２に示すように排出装置１０の幅方向中央に配置されており、その幅は用紙Ｐの幅よりも狭く設定され、排出ベルト１１には多数の吸引孔１１ａが形成されている。この排出ベルト１１は、図３に示すモータＭ１によって図１の矢印方向に回転駆動される。即ち、モータＭ１の回転動力は減速ギヤ列Ｇ及びローラ軸１６を経て前記駆動ローラ１２に伝達され、この駆動ローラ１２が所定の速度で回転駆動されることによって排出ベルト１１が回転し、その上に載置された用紙Ｐが搬送ベルト２と同速度で図１の矢印Ｑ方向に搬送される。尚、排出ベルト１１にはポリウレタン等の樹脂ベルトやクロロプレンゴム等のゴムベルトが使用される。
【００２７】
又、図１に示すように、排出ベルト１１の裏面側には吸着装置１７が配置されており、この吸着装置１７は、排出ベルト１１上を搬送される用紙Ｐを吸引孔１１ａを介して不図示の吸引ファンによって吸引することによって用紙Ｐを排出ベルト１１上に確実に保持する機能を果たすものである。
【００２８】
ところで、図２〜図４に示すように、排出装置１０の排出ベルト１１の左右（用紙幅方向）両側にはＶ字ガイド板１８がそれぞれ配置されている。各Ｖ字ガイド板１８は、平面視及び側面視で三角形を成しており、図４に示すように、その排出ベルト１１に対向する内側の辺Ｌは排出ベルト１１の両側端縁に対して平面視で角度αを成して用紙搬送方向下流に向かって閉じるよう傾斜している。そして、各Ｖ字ガイド板１８は、左右方向外側に向かって上方に開くよう水平面に対して所定角度（図５に示す角度β）だけ傾斜するとともに、用紙搬送方向下流側に向かって絞られるよう配置されており、図１に示すように、その高さは用紙搬送方向下流側に向かって次第に高くなるよう設定されている。
【００２９】
そして、排出ベルト１１の左右には平坦で且つ水平な支持部材１９がそれぞれ配設されており、これらの支持部材１９は排出ベルト１１と同一平面を成して排出ベルト１１上を搬送される用紙Ｐの左右両端部を支持する。ここで、各支持部材１９には各Ｖ字ガイド板１８の辺Ｌが蝶番状の可動軸２０（図３及び図４参照）によって上下に回動可能に取り付けられており、図３に示すように、各Ｖ字ガイド板１８の裏面には縦方向に延びるアーム２１の上端部が当接しており、各Ｖ字ガイド板１８はアーム２１によって支持されている。
【００３０】
上記各アーム２１の下端部は、水平に延設されたシャフト２２に結着されており、シャフト２２の端部にはモータＭ２が連結されている。従って、モータＭ２が正逆回転し、その回転がシャフト２２を経て各アーム２１に伝達されると各アーム２１がシャフト２２を中心として回動し、その上端がシャフト２２を中心とする円弧を描いて揺動するため、裏面が各アーム２１の先端に当接する左右のＶ字ガイド板１８が可動軸２０を中心として上下に回動し、その立ち上がり角度（図５に示す角度β）が調整される。
【００３１】
他方、排出装置１０の用紙搬送方向下流側に配された前記ストック装置３０は、図２に示すように、排出装置１０から排出される用紙Ｐをストックするストック部３１と、その左右に立設された一対のカーソル３２と、両カーソル３２の用紙搬送方向下流端の間に立設されたストッパ３３と、これらの上方に配された送風装置３４（図１参照）によって構成されている。
【００３２】
上記左右一対のカーソル３２は、その相対向する内面にガイドレール３５が用紙搬送方向に沿って水平にそれぞれ設けられており（図２には一方のみ図示）、各ガイドレール３５の高さは排出装置１０から排出される用紙Ｐの左右両端部が受け渡されて載置される高さに設定されている。
【００３３】
又、前記ストッパ３３は、排出装置１０の排出ベルト１１によって勢い良く排出される用紙Ｐの先端を当てて受け止めるものであって、用紙排出方向下流端において用紙排出方向に直交する向き（左右方向）に立設されている。
【００３４】
更に、前記送風装置３４は、不図示のファンを駆動して風を下方に向けて送るものであって、排出装置１０から排出された用紙Ｐがその左右両端部を左右一対のカーソル３２のガイドレール３５によって支持されつつ搬送され、その先端がストッパ３３に突き当たるタイミングで不図示のシャッタが開くと風を用紙Ｐに向けて吹き付けるものであって、左右のカーソル３２の間の中央部（用紙Ｐの幅方向中央部）に配置されている。
【００３５】
次に、以上の構成を有するインクジェット記録装置１の動作について説明する。
【００３６】
本実施の形態に係るインクジェット記録装置１においては、不図示の用紙供給装置によって図１の右方向から左方向（図１の矢印Ｔ方向）に向かって供給される用紙Ｐは、吸着ユニット７のエア吸引動作によって搬送ベルト２上に密着保持されつつ、駆動ローラ４によって図１の矢印方向（反時計方向）に回転駆動される搬送ベルト２によって所定の速度で下流側（図１の左側）へと搬送される。そして、このように用紙Ｐが搬送ベルト２によって下流側へと搬送される過程において、該用紙Ｐ上にはブラック（ＢＫ）、シアン（Ｃ）、マゼンタ（Ｍ）、イエロー（Ｙ）の各ヘッド３ａ，３ｂ，３ｃ，３ｄによって各色のインクが画像データに応じて吐出され、最終的には用紙Ｐ上には各色の重ね合わせによってフルカラーの画像が印刷される。
【００３７】
上述のプロセスを経てフルカラーの画像が印刷された用紙Ｐは、排出装置１０へと送り込まれる。即ち、用紙Ｐは、排出装置１０に設けられた前記排出ガイド１５に沿って搬送ベルト２から排出装置１０の排出ベルト１１へと送り込まれる。排出装置１０においては、前述のようにモータＭ１から回転動力が減速ギヤ列Ｇ及びローラ軸１６を経て駆動ローラ１２に伝達され、該駆動ローラ１２が回転駆動されることによって排出ベルト１１が図１の矢印方向（反時計方向）に搬送ベルト２と同速度で回転駆動されており、用紙Ｐは、搬送ベルト２から排出ベルト１１へとスムーズに送り込まれ、排出ベルト１１によって図１の矢印Ｑ方向へと搬送される。
【００３８】
ところで、前述のように排出ベルト１１の幅は用紙Ｐの幅よりも狭く、該排出ベルト１１の搬送方向の左右両側にはＶ字ガイド板１８がそれぞれ配設されているため、用紙Ｐの排出ベルト１１から左右にはみ出した部分は、該用紙Ｐの搬送が進むに従って左右のＶ字ガイド板１８の傾斜面に乗り上げる。これに対して、用紙Ｐの幅方向中央部は、排出ベルト１１の裏面側に配設された吸着装置１７によって排出ベルト１１上に吸着保持されているため、用紙Ｐは、その左右両端側が左右のＶ字ガイド板１８によって平面視ハの字状に絞られながら上方へと折り曲げられ、これを搬送方向下流側から見た場合、図５に示すように、中央部が低くて両側（図５のＫにて示す領域）が角度βで斜めに持ち上げられた略Ｖ字状の形状に変形する。尚、用紙Ｐの左右両端側の立ち上がり幅Ｋは８０ｍｍ以下とするのが望ましく、又、立ち上がり角度βは前述のように調整可能であるが、１５°〜４５°の値に設定するのが望ましい。
【００３９】
又、左右一対のＶ字ガイド板１８の傾斜面は、内側の辺Ｌと平行であって、用紙搬送方向下流側に向かって互いの距離（間隔）が狭くなっているため、該Ｖ字ガイド板１８に乗り上げた用紙Ｐの左右両側部は、その傾斜部分の幅が用紙搬送方向下流側に向かって次第に狭くなり、用紙Ｐが用紙搬送方向に沿って絞られて変形量が大きくなりつつ搬送される。このように用紙Ｐは、その表面側（印刷面側）が本来は上に凸に撓もうとする方向とは反対向きに強制的に撓まされた状態で搬送されるため、インクによる用紙Ｐの撓みが抑制された状態で該用紙Ｐの搬送とインクの乾燥が進行する。そして、用紙Ｐは、その左右両端部が上向きに撓むことによって平面状ではなくなるため、搬送方向にも撓みにくくなり、又、印刷直後の用紙Ｐは、その搬送過程において下に凸に撓んだ状態でインクの乾燥が進行するため、乾燥後の用紙Ｐに撓みが生じにくくなる。
【００４０】
而して、用紙Ｐが排出ベルト１１上を搬送されていくと、その先端が徐々に搬送ベルト１１から外れ、次のスタック装置３０へと排出されてスタックされる。即ち、排出ベルト１１から外れた用紙Ｐの先端部は、その左右の両端部がスタック装置３０の左右のカーソル３２の内面に設けられたガイドレール３５上に受け渡されて支持される。そして、用紙Ｐの排出ベルト１１からの排出が進むに従って、用紙Ｐがその左右両側部を左右のカーソル３２のガイドレール３５に支持されつつガイドレール３５に沿って下流側へと勢い良く送り込まれるが、このとき、用紙Ｐの撓みは取り除かれ、該用紙Ｐは略平面状態を保つ。そして、用紙Ｐは、その先端がストッパ３３に当接することによって停止し、その両端が左右のガイドレール３５に支持されて略水平状態を保つ。
【００４１】
上述のように、用紙Ｐの先端がストッパ３３に当接して用紙Ｐがその左右両端をガイドレール３５によって支持された状態で静止するタイミングで、送風装置３４の不図示のシャッタが開いて送風装置３４から下向きに風が送られ、左右のカーソル３２のガイドレール３５によってその左右両側部が支持されて略水平状態を保つ用紙Ｐはその上面に風を受け、その風圧によって用紙Ｐの左右両端が左右のガイドレール３５から外れ、用紙Ｐはストック部３１へと落下してそこに整然とストックされる。尚、送風装置３４は上記のタイミングで送風を開始するようにしても良い。ここで、連続印刷の場合には、送風装置３４は、次の用紙Ｐが送風装置３４の送風による影響を受ける領域に達する前に上述のシャッタを閉じるか送風を停止して、用紙Ｐの搬送に送風が影響しないように構成されている。
【００４２】
以上のように、本実施の形態に係るインクジェット記録装置１によれば、印刷が終了した用紙Ｐはその左右両端部が排出装置１０に設けられたＶ字ガイド板１８によって上方へ折り曲げられた状態、つまり、本来撓もうとする方向とは反対向きに強制的に撓まされた状態で搬送されるため、該用紙Ｐはカールの発生が抑制された状態で連続的に高速で搬送され、処理速度の低下やジャムの発生を招くことなく用紙Ｐがストック装置３０へと排出される。そして、ストック装置３０へと排出された用紙Ｐは、その左右両端部がガイドレール３５によって支持されることによって撓みが取り除かれて略平面状態を保ち、送風装置３４から吹き付けられる風によってガイドレール３５から外れて落下し、ストック部３１に整然とストックされるため、該用紙Ｐのストック性が高められる。
【００４３】
又、本実施の形態では、排出装置１０からストック装置３０へと高速で排出される用紙Ｐは、その先端がストッパ３３に当接して停止するため、先端が揃えられた状態でストック装置３０のストック部３１に整然とストックされる。
【００４４】
更に、本実施の形態によれば、ストック装置３０へと排出される用紙Ｐがストッパ３３に当接して停止するまでの間は送風装置３４から用紙Ｐへの風の吹き付けはなされないため、風が用紙Ｐのストック装置３０への排出動作を阻害することがなく、用紙Ｐの排出動作がスムーズになされる。
【符号の説明】
【００４５】
１          インクジェット記録装置
２          搬送ベルト
３          インクジェットヘッド
３ａ〜３ｄ  ヘッド
４          駆動ローラ
５          従動ローラ
６          テンションローラ
７          吸着ユニット
１０        排出装置
１１        排出ベルト
１１ａ      排出ベルトの吸引孔
１２        駆動ローラ
１３        従動ローラ
１４        テンションローラ
１５        排出ガイド
１６        ローラ軸
１７        吸着装置
１８        Ｖ字ガイド板（ガイド板）
１９        支持部材
２０        可動軸
２１        アーム
２２        シャフト
３０        ストック装置
３１        ストック部
３２        カーソル
３３        ストッパ
３４        送風装置
３５        ガイドレール
Ｇ          減速ギヤ列
Ｌ          Ｖ字ガイド板の内側の辺
Ｍ１，Ｍ２  モータ
Ｐ          用紙（記録媒体）
【図１】
2011001142.tif 000003
【図２】
2011001142.tif 000004
【図３】
2011001142.tif 000005
【図４】
2011001142.tif 000006
【図５】
2011001142.tif 000007
【図６】
2011001142.tif 000008